(57)【要約】【課題】本発明は、利用者が希望する構図の動画、及び静止画を入手できる画像配布システムを提供すること課題とする。【解決手段】本発明は、客車に取り付けられた画像撮影手段１２と、画像撮影手段１２で撮影された画像を編集する画像編集手段１４と、画像編集手段１４で編集された画像を配布する画像配布手段１６とを含む構成を採用することにより課題を解決している。【選択図】　図１
2004134862.tif 000002
【特許請求の範囲】
【請求項１】
アトラクションを構成する客車に乗車中の利用者を撮影し、該撮影された画像を前記利用者に配布する画像配布システムであって、
前記客車に取り付けられた画像撮影手段と、
前記画像撮影手段で撮影された画像を編集する画像編集手段と、
前記画像編集手段で編集された画像を配布する画像配布手段と、
を含む、画像配信システム。
【請求項２】
前記画像撮影手段は、
複数の客車ごとに取り付けられたビデオカメラと、
前記複数のビデオカメラで撮影された画像を記録する画像記録装置と、
前記画像記録装置で記録された画像を送信する画像送信装置と、
を含む請求項１に記載の画像配信システム。
【請求項３】
前記画像編集手段は、
前記画像送信装置で送信された画像を受信する画像受信装置を含む請求項２に記載の画像配信システム。
【請求項４】
前記画像編集手段は、
前記画像受信装置で受信した画像を、画像ごとにオペレーターが手動で編集するオペレーター編集装置を含む請求項３に記載の画像配信システム。
【請求項５】
前記画像編集手段は、
前記画像受信装置で受信した画像を、画像ごとに自動で編集する自動編集装置を含む請求項３に記載の画像配信システム。
【請求項６】
前記画像編集手段は、
前記画像受信装置で受信した画像の中から、前記利用者が撮影された画像を抽出し、前記利用者が任意に編集する利用者編集装置を含む請求項３に記載の画像配信システム。
【請求項７】
前記画像配布手段は、
前記画像編集手段で編集された画像を、電気通信回線を通じて前記利用者に配布するネットワーク配信装置を含む、請求項１乃至請求項６に記載の画像配信システム。
【請求項８】
前記画像配布手段は、
前記画像編集手段で編集された画像を記録媒体に記録する記録媒体出力装置を含む、請求項１乃至請求項７に記載の画像配布システム。
【請求項９】
複数のアトラクションの客車に乗車した同一利用者を撮影し、該複数のアトラクションで撮影された画像を前記利用者に配布する画像配布システムであって、
前記利用者を個別認識する利用者認識手段と、
前記複数のアトラクションの客車各々に取り付けられ、前記利用者識別手段と接続された画像撮影手段と、
前記画像撮影手段で撮影された複数の画像の中から、同一利用者の画像を抽出し、同一利用者の画像を編集する画像編集手段と、
前記画像編集手段で編集された同一利用者の画像を配布する画像配布手段を含み、
前記利用者認識手段は、
前記利用者が保持する、識別符号が記録された識別符号手段から前記識別符号を読み取り、利用者を特定する認識装置を含む画像配信システム。
【請求項１０】
前記画像撮影手段は、
複数の客車ごとに取り付けられたビデオカメラと、
前記複数のビデオカメラで撮影された画像に、前記識別装置で読み取られた利用者を特定する識別符号を付して記録する画像記録装置と、
前記画像記録装置で記録された画像を送信する画像送信装置と、
を含む請求項９に記載の画像配信システム。
【請求項１１】
前記画像編集手段は、
前記画像送信装置で送信された画像を受信する画像受信装置と、
前記受信した複数の画像の中から、前記画像記録装置で記録された利用者を特定する識別符号を参照し、同一利用者の画像を抽出する手段を含む、請求項１０に記載の画像配信システム。
【請求項１２】
前記画像編集手段は、
前記抽出された同一利用者の画像を、オペレーターが手動で編集するオペレーター編集装置を含む請求項１１に記載の画像配信システム。
【請求項１３】
前記画像編集手段は、
前記抽出された同一利用者の画像を、自動で編集する自動編集装置を含む請求項１１に記載の画像配信システム。
【請求項１４】
前記画像編集手段は、
前記抽出された同一利用者の画像を、前記利用者が任意に編集する利用者編集装置を含む請求項１１に記載の画像配信システム。
【請求項１５】
前記画像配布手段は、
前記同一利用者の画像を、電気通信回線を通じて前記利用者に配布するネットワーク配信装置を含む、請求項９乃至請求項１４に記載の画像配信システム。
【請求項１６】
前記画像配布手段は、
前記同一利用者の画像を記録媒体に記録する記録媒体出力装置を含む、請求項９乃至請求項１５に記載の画像配信システム。
【請求項１７】
前記画像配布手段は、
前記利用者が指定した電子メールアドレスに、前記利用者の画像を送信する手段を含む、請求項１乃至請求項１６に記載の画像配信システム。
【請求項１８】
アトラクションを構成する客車に乗車中の利用者を撮影し、該撮影された画像を前記利用者に配布する方法であって、
前記客車に取り付けられた画像撮影手段により、前記利用者の画像を撮影するステップと、
前記撮影された画像を編集するステップと、
前記編集された画像を利用者に配布するステップと、
を含む画像配信方法。
【請求項１９】
複数のアトラクションの客車に乗車した同一利用者を撮影し、該複数のアトラクションで撮影された画像を前記利用者に配布する方法であって、
前記利用者が保持する、識別符号が記録された識別符号手段から前記識別符号を読み取り、利用者を特定するステップと、
前記複数のアトラクションの客車各々に取り付けられた画像撮影手段により、前記利用者の画像を撮影するステップと、
前記利用者を特定するステップにより得られた情報と、前記撮影された画像とを画像記録装置に記録するステップと、
前記記録された画像の中から、前記識別符号を用いて同一利用者の画像を抽出し、該画像を編集するステップと、
前記編集された画像を、前記識別符号を用いて利用者に配布するステップと、
を含む画像配布方法。
【発明の詳細な説明】
【０００１】
【発明の属する技術分野】
本発明は、アトラクションを構成する客車に乗車している利用者を撮影し、その撮影された画像を該利用者に配布するシステム、およびその方法に関する。
【０００２】
【従来の技術】
遊園地等のアトラクション（以下、ジェットコースターを例に説明する）に乗車している人（以下、利用者という）を撮影するために、ジェットコースターの客車が通過する軌道の途中にビデオカメラが置かれている。従来のシステムにおいては、ビデオカメラで撮影した画像を静止画として紙にプリントアウトし、利用者に配布している。遊園地で利用者を撮影し、写真を提供するシステムに関して出願がなされている（例えば、特許文献１、特許文献２、特許文献３参照。）
【０００３】
【特許文献１】
特開平１０−２２４７７３号公報
【特許文献２】
特開２００１−３０９２８４号公報
【特許文献３】
特開２００２−１１２０７４号公報
【０００４】
詳しくは、利用者がジェットコースターから降りた後、客車ごとに撮影された静止画がディスプレーに表示される。その静止画の入手を希望する利用者は、そのディスプレーに画像と共に表示されている番号を係員に伝えることで、所望するプリントアウトされた画像を入手することができる。
【０００５】
この従来のシステムにおいては、ビデオカメラが設置された所定位置の画像だけが静止画として配布される。しかしながら、利用者は所定位置の画像を必ずしも希望するわけではない。つまり、利用者が好ましいと思う表情をしていた位置の画像を希望することや、利用者が希望する背景位置の画像を希望することがある。
【０００６】
また、従来では撮影された静止画に、利用者が自由に手を加えて編集することはできない。例えば、撮影された画像に利用者が手書きで文字を挿入させたり、背景を加えて画像を飾り立てたりして、静止画をプリントアウトすることはできない。
【０００７】
さらに、従来では利用者に配布される画像は静止画であり、動画は配布されていない。また、利用者が自ら動画を撮影するために、ジェットコースターにビデオカメラを持ち込むことはできない。なぜなら、ビデオカメラを撮影しながら、ジェットコースターに乗ることは、ビデオカメラで手がふさがれてしまうから危険であるし、ジェットコースターの遠心力によってビデオカメラが飛ばされてしまうから危険である。
【０００８】
また、通常の遊園地等には複数のアトラクションがある。ビデオカメラでの撮影が許可されているアトラクション（例えば観覧車など）もある。観覧車に乗車している画像を利用者自らがビデオカメラで撮影することは、撮影する人の意識が撮影行為に集中してしまい、観覧車に乗車して楽しむことができなくなるというデメリットがある。
【０００９】
【発明が解決しようとする課題】
そこで、本発明においては、利用者が希望する構図の画像を入手できる画像配布システムを提供することを課題とする。本発明は撮影された画像に自動、または手動で装飾を加えることができる画像配布システムを提供することを課題とする。本発明は利用者に静止画及び音声付きの動画を配布することができる画像配布システムを提供することを課題とする。本発明は、電気通信回線を介して画像を入手することができる画像配布システムを提供することを課題とする。本発明は複数のアトラクションにおいて撮影された画像を取りまとめて、一度に利用者が受け取ることができる画像配布システムを提供することを課題とする。本発明は利用者自らがビデオカメラで撮影することなく、利用者がアトラクションを楽しむことができる画像配布システムを提供することを課題とする。
【００１０】
【課題を解決するための手段】
本発明は、アトラクションを構成する客車に乗車中の利用者を撮影し、該撮影された画像を前記利用者に配布する画像配布システムであって、前記客車に取り付けられた画像撮影手段と、前記画像撮影手段で撮影された画像を編集する画像編集手段と、前記画像編集手段で編集された画像を配布する画像配布手段とを含む構成を採用することにより課題を解決している。
【００１１】
上記の構成を採用することにより、客車に乗車中の利用者を撮影することができ、静止画だけではなく音声付きの動画も利用者に配布することができる。
【００１２】
また、上述の画像撮影手段は、複数の客車ごとに取り付けられたビデオカメラと、前記複数のビデオカメラで撮影された画像を記録する画像記録装置と、前記画像記録装置で記録された画像を送信する画像送信装置とを含む構成を採用することにより課題を解決している。
【００１３】
上記の構成を採用することにより、客車に乗車中の利用者を乗車中いつでも撮影することができ、利用者が希望する構図の画像を入手することができる。また、静止画だけでなく、音声付きの動画も利用者に配布することができる。また、利用者自らがビデオカメラで撮影することなく、利用者がアトラクションを楽しむことができる。
【００１４】
また、上述の画像編集手段は、前記画像送信装置で送信された画像を受信する画像受信装置を含む構成を採用することにより課題を解決している。
【００１５】
上記の構成を採用することにより、客車に設けられた画像撮影手段から発信された画像を画像編集手段で受信することができる。
【００１６】
また、上述の画像編集手段は、前記画像受信装置で受信した画像を、画像ごとにオペレーターが手動で編集するオペレーター編集装置を含む構成を採用することにより課題を解決している。
【００１７】
上記の構成を採用することにより、画像受信装置で受信した利用者の画像をオペレーターが手動で編集することができる。ここで、画像ごとにオペレーターが手動で編集するとは、オペレーターが画像ごとに、文字を入力したり、背景を加えて画像を装飾したり、動画の場合は音楽を画像に付したりする作業を示す。
【００１８】
また、上述の画像編集手段は、画像受信装置で受信した画像を、画像ごとに自動で編集する自動編集装置を含む構成を採用することにより課題を解決している。
【００１９】
上記の構成を採用することにより、画像受信装置で受信した利用者の画像を、画像ごとに自動編集装置が自動で編集することができる。ここで、画像ごとに自動で編集するとは、自動編集装置が画像ごとに、文字を入力したり、背景を加えて画像を装飾したり、動画の場合は音楽を画像に付したりすることを自動で行う作業を示す。
【００２０】
また、上述の画像編集手段は、前記画像受信装置で受信した画像の中から、前記利用者が撮影された画像のみを抽出し、前記利用者が任意に編集する利用者編集装置を含む構成を採用することにより課題を解決している。
【００２１】
上記の構成を採用することにより、画像受信装置で受信した利用者の画像を、利用者編集装置を用いることで、利用者が任意に編集することができる。ここで利用者が任意に編集するとは、利用者が利用者の好みに合わせて、画像ごとに、文字を入力したり、背景を加えて画像を装飾したり、動画の場合は音楽を画像に付したりする作業を示す。
【００２２】
また、上述の画像配布手段は、前記画像編集手段で編集された画像を、電気通信回線を通じて前記利用者に配布するネットワーク配信装置を含む構成を採用することにより課題を解決している。
【００２３】
上記の構成を採用することにより、電気通信回線を通じて、利用者が撮影されている画像を利用者が入手することができる。ここで、電気通信回線とは、インターネット回線網のことを示す。
【００２４】
また、上述の画像配布手段は、前記画像編集手段で編集された画像を記録媒体に記録する記録媒体出力装置を含む構成を採用することにより課題を解決している。
【００２５】
上記の構成を採用することにより、利用者は記録媒体に記録された利用者の画像を入手することができる。ここで、記録媒体とは、静止画であればプリントアウトさせるための印画紙である。静止画及び動画であれば、ビデオテープ、デジタルビデオテープ、ＣＤ−ＲＯＭ、ＭＯ（Ｍａｇｎｅｔｏｒｏ　Ｏｐｔｉｃａｌ）、ＤＶＤ、フロッピー（登録商標）ディスク、コンパクトフラッシュ（登録商標）、ＳＤメモリーカード（登録商標）、メモリーステック（登録商標）等を示す。
【００２６】
また、本発明は、複数のアトラクションの客車に乗車した同一利用者を撮影し、該複数のアトラクションで撮影された画像を前記利用者に配布する画像配布システムであって、前記利用者を個別認識する利用者認識手段と、前記複数のアトラクションの客車各々に取り付けられ、前記利用者識別手段に接続された画像撮影手段と、前記画像撮影手段で撮影された複数の画像の中から、同一利用者の画像のみを抽出し、同一利用者の画像を編集する画像編集手段と、前記画像編集手段で編集された同一利用者の画像を配布する画像配布手段を含み、前記利用者認識手段は、前記利用者が保持する、識別符号が記録された識別符号手段から前記識別符号を読み取り、利用者を特定する認識装置を含む構成を採用することにより課題を解決している。
【００２７】
上記の構成を採用することにより、アトラクションに乗車している人を特定することができ、複数のアトラクションにおいて撮影された画像をまとめて一度に利用者が受け取ることができる。ここで撮影される画像は、音声付きの画像である。
【００２８】
また、上述の画像撮影手段は、複数の客車ごとに取り付けられたビデオカメラと、前記複数のビデオカメラで撮影された画像に、前記識別装置で読み取られた利用者を特定する識別符号を付して記録する画像記録装置と、前記画像記録装置で記録された画像を送信する画像送信装置と、含む構成を採用することにより課題を解決している。
【００２９】
上記の構成を採用することにより、客車ごとに乗車した利用者を特定し、その利用者を撮影することができる。換言すると、その利用者が乗車したすべてのアトラクションの画像を利用者ごとに抽出することができる。
【００３０】
また、上述の画像編集手段は、前記画像送信装置で送信された画像を受信する画像受信装置と、前記受信した複数の画像の中から、前記画像記録装置で記録された利用者を特定する識別符号を参照し、同一利用者の画像を抽出する手段と、を含む構成を採用することにより課題を解決することができる。
【００３１】
上記の構成を採用することにより、客車ごとに乗車した利用者を特定し、その利用者が乗車したすべてのアトラクションの画像を利用者ごとに抽出することができる。
【００３２】
また、上述の画像編集手段は、前記抽出された同一利用者の画像を、オペレーターが手動で編集するオペレーター編集装置を含む構成を採用することにより課題を解決している。
【００３３】
上記の構成を採用することにより、同一利用者の複数の画像をオペレーターが手動で編集することができる。
【００３４】
また、上述の画像編集手段は、前記抽出された同一利用者の画像を、自動で編集する自動編集装置を含む構成を採用することにより課題を解決している。
【００３５】
上記の構成を採用することにより、自動編集装置を用いて同一利用者の複数の画像を自動で編集することができる。
【００３６】
また、上述の画像編集手段は、前記抽出された同一利用者の画像を、前記利用者が任意に編集する利用者編集装置を含む構成を採用することにより課題を解決している。
【００３７】
上記の構成を採用することにより、同一利用者の複数の画像を、利用者自身が任意に編集することができる。
【００３８】
また、上述の画像配布手段は、前記同一利用者の画像を、電気通信回線を通じて前記利用者に配布するネットワーク配信装置を含む構成を採用することにより課題を解決している。
【００３９】
上記の構成を採用することにより、複数のアトラクションにおいて撮影された画像を、インターネット回線網を介してまとめて一度に利用者が受け取ることができる
【００４０】
また、上述の画像配布手段は、前記同一利用者の画像を、読み取り可能な記録媒体に記録する記録媒体出力手段を含む構成を採用することにより課題を解決している。
【００４１】
上記の構成を採用することにより、利用者が記録媒体に記録された画像を受け取ることができる。
【００４２】
また、上述の画像配布手段は、前記利用者が指定した電子メールアドレスに、前記利用者の画像を送信する手段を含む構成を採用することができる。
【００４３】
上記の構成を採用することにより、利用者だけではなく、利用者が事前に指定した他人の電子メールアドレスに利用者の画像を配布することができる。
【００４４】
また、本発明は、アトラクションを構成する客車に乗車中の利用者を撮影し、該撮影された画像を前記利用者に配布する方法であって、前記客車に取り付けられた画像撮影手段により、前記利用者の画像を撮影するステップと、前記撮影された画像を編集するステップと、前記編集された画像を利用者に配布するステップとを含む方法により課題を解決している。
【００４５】
また、本発明は、複数のアトラクションの客車に乗車した同一利用者を撮影し、該複数のアトラクションで撮影された画像を前記利用者に配布する方法であって、前記利用者が保持する、識別符号が記録された識別符号手段から前記識別符号を読み取り、利用者を特定するステップと、前記複数のアトラクションの客車各々に取り付けられた画像撮影手段により、前記利用者の画像を撮影するステップと、前記利用者を特定するステップにより得られた情報と、前記撮影された画像とを画像記録装置に記録するステップと、前記記録された画像の中から、前記識別符号を用いて同一利用者の画像を抽出し、該画像を編集するステップと、前記編集された画像を、前記識別符号を用いて利用者に配布するステップとを含む方法を採用することにより課題を解決している。
【００４６】
【発明の実施の形態】
本発明における第１の実施形態を、図を用いて説明する。図１は第１の実施形態の構成を示す構成図である。本発明は、客車に取り付けられた画像撮影手段１２と、画像撮影手段１２で撮影された画像を編集する画像編集手段１４と、画像編集手段１４で編集された画像を配布する画像配布手段１６とにより構成される。第１の実施形態は、ジェットコースターの客車に乗車した利用者を撮影し、撮影された画像を、ネットワーク通信網及び記録媒体を介して利用者に配布する画像配布システム１０である。本発明において撮影された画像には、撮影中に利用者から発せられた音声も含まれる。以後、特に断りがない場合には、画像は音声を含むものとする。
【００４７】
画像撮影手段１２は、複数の客車ごとに取り付けられたビデオカメラ１８と、複数のビデオカメラ１８で撮影された画像を記録する画像記録装置２０と、画像記録装置２０で記録された複数の画像を送信する画像送信装置２２とにより構成される。
【００４８】
ビデオカメラ１８は、画像をデジタルデータとして撮影することができるデジタルビデオカメラにより構成される。また、ビデオカメラ１８には利用者が発する音声を記録するためのマイクが付いている。ビデオカメラ１８はジェットコースターの客車における、例えば持ち手の中央部分に取り付けられる。これにより、例えば２人乗りの客車においては、客車に乗車した２人の表情を均等に撮影することができる。
【００４９】
画像記録装置２０は、複数のビデオカメラ１８ごとにジェットコースターに設けられている。ビデオカメラ１８で撮影された画像は、デジタルデータのまま、画像記録装置２０に記録される。この画像記録装置２０は、ハードディスクにより実現している。
【００５０】
画像送信装置２２は、各々の客車に設けられた画像記録装置２０の画像を、無線通信方式を用いて送信している。本実施形態においては、各々の画像記録装置２０ごとに画像送信装置２２を設けている。また、例えば、各々の画像記録装置２０が１つの画像送信装置２２に接続され、その１つの画像送信装置２２により、複数の画像を送信する構成を採用してもよい。また、本実施形態においては、ジェットコースターが乗降ゲートに戻ったときに画像送信装置２２が画像を送信するが、これに限定されず、ジェットコースターの運転中に画像送信装置２２が画像を逐次送信する構成を採用してもよい。
【００５１】
画像編集手段１４は、画像送信装置２２で送信された客車ごとの画像を受信する画像受信装置２４と、画像受信装置２４で受信した客車ごとの画像を一時保存しておく画像取込装置２６と、画像取込装置２６で保存した客車ごとの画像を、画像ごとにオペレーターが手動で編集するオペレーター編集装置２８とにより構成される。
【００５２】
画像受信装置２４は、画像送信装置２２で無線通信方式により送信された客車ごとの画像を受信している。本実施形態においては、画像送信装置２２のそれぞれに対応する画像受信装置２４を設けている。また、例えば、１つの画像受信装置２４で、複数の画像送信装置２２から送信された画像を受信する構成を採用してもよい。
【００５３】
画像取込装置２６は、複数の画像受信装置２４で受信した画像を、画像ごとに区別して一時保存している。この画像取込装置２６は、画像取込サーバーにより実現している。
この画像取込装置２６は、後述するオペレーター編集装置２８に画像を転送したならば、一時保存した画像のデータを消去する機能を有する。
【００５４】
オペレーター編集装置２８は、ジェットコースターから離れた施設内に設けられており、アプリケーション・サーバーにより実現している。このオペレーター編集装置２８には、静止画、及び動画を編集することができるアプリケーションプログラムが記憶されており、オペレーターがアプリケーションプログラムを実行させることにより、画像を編集している。
【００５５】
画像配布手段１６は、オペレーター編集装置２８により編集された客車ごとの画像を保存するための画像保存装置３０と、画像保存装置３０に保存された客車ごとの画像を画面上に表示させる複数のディスプレー３２と、画像保存装置３０に保存された客車ごとの画像を出力するための記録媒体出力装置３４と、画像保存装置３０に保存された客車ごとの画像を、電気通信回線３８を通じて配布するネットワーク配信装置３６とにより構成される。
【００５６】
画像保存装置３０は、オペレーター編集装置２８により編集された客車ごとの画像に、個別の識別符号を付して個別に保存している。この画像保存装置３０は、画像保存サーバーにより実現している。
【００５７】
ディスプレー３２は、画像保存装置３０に保存されている客車ごとの画像を表示している。客車ごとの画像に個別の識別符号を付して表示している。ディスプレー３２は客車の数と同数である。
【００５８】
記録媒体出力装置３４は、画像保存装置３０に保存されている客車ごとの画像を、記録媒体に出力するための装置である。記録媒体出力装置３４は、出力する記録媒体に合わせて設けられている。例えば、紙にプリントアウトさせる場合には、プリンター３４ａを用いる。ビデオテープに出力する場合には、ビデオテープレコーダー３４ｂを用いる。ＣＤ−ＲＯＭに出力する場合には、ＣＤ−Ｒ（ＣＤＲｅｃｏｒｄａｂｌｅ）３４ｃを用いる。
【００５９】
ネットワーク配信装置３６は、画像保存装置３０に保存されている客車ごとの画像を、電気通信回線３８を通じて配布するするための装置である。ネットワーク配信装置３６はネットワーク・サーバーによって実現している。客車ごとの画像は、このネットワーク・サーバーでの個別のアドレスが付された領域に保存される。この個別のアドレスは利用者を特定する識別符号に対応している。このネットワーク配信装置３６は、客車ごとの画像を携帯電話にて閲覧可能なファイル形式に自動変換する機能を有する。同様に、客車ごとの画像をインターネット閲覧ソフトで閲覧可能なファイル形式に自動変換する機能を有する。
【００６０】
画像取込サーバー、アプリケーション・サーバー、画像保存サーバー、ネットワーク・サーバーのそれぞれはネットワーク・ハブ（図示せず）により互いに接続されている。この各サーバーとネットワーク・ハブの間は、ＬＡＮ（Ｌｏｃａｌ　Ａｒｅａ　Ｎｅｔｗｏｒｋ）により接続されている。
【００６１】
次に、本発明における第１の実施形態の作用を説明する。利用者がジェットコースターの客車に乗車し、ジェットコースターの運転が始まると、ビデオカメラ１８において利用者の撮影が開始される。ビデオカメラ１８で撮影された利用者の画像は、画像記録装置２０で記録される。ビデオカメラ１８における撮影は、ジェットコースターの運転行程中の決められた区間だけ行われる。例えば、客車の動きが激しい区間が、撮影される区間として決められる。
【００６２】
ジェットコースターが所定の運転を終え、利用者の乗降ゲートまで戻ると、ビデオカメラ１８での撮影は停止する。客車に設けられた画像送信装置２２が、画像記録装置２０に記録された利用者の画像を画像受信装置２４に無線送信する。
【００６３】
ジェットコースターから離れた施設に設けられた画像受信装置２４が、利用者の画像を受信する。受信された画像は、画像取込装置２６に一時保管される。オペレーターは、画像取込装置２６に保存された利用者の画像を読み出し、オペレーター編集装置２８により編集し、編集後の画像を画像保存装置３０に保存させる。ここでオペレーターが行う編集作業は、例えば、オペレーターが文字を入力したり、背景を加えて画像を装飾したり、音楽を画像に付したりする作業のことを示す。また、画像保存装置３０においては、客車ごとに異なる利用者を識別するための識別符号が付される。
【００６４】
画像保存装置３０に保存された編集後の画像は、ジェットコースター施設の出口付近に設けられたディスプレー３２に表示される。このディスプレー３２には、利用者の画像と利用者ごとに異なる識別符号とが共に表示される。利用者は、その利用者が撮影されている画像の入手を希望する場合には、係員に識別符号を伝える。また、撮影された画像は、動画のみ、静止画のみ、動画と静止画の両方、の中から選択することができる。
【００６５】
利用者は希望する記録媒体の種類も選択することができる。例えば、動画及び静止画を希望する場合には、ビデオテープ、ＣＤ−ＲＯＭ等が記録媒体となる。
また、静止画のみを希望する場合は、プリントアウトされた紙が記録媒体となる。
【００６６】
また、利用者は、画像保存装置３０に保存された利用者の画像を、インターネット回線網３８を介して入手（ダウンロード：Ｄｏｗｎｌｏａｄ）することもできる。この場合は、利用者が係員に撮影された画像の識別符号を伝え、その識別符号に対応したネットワーク配信装置３６の個別のアドレスを係員から入手する。利用者は、この個別のアドレスにアクセスすることにより、ネットワーク配信装置３６に保存された利用者が撮影されている画像をダウンロードすることができる。このインターネット回線網３８を介して画像を入手するための端末は、携帯電話、ＰＤＡ（Ｐｅｒｓｏｎａｌ　Ｄｉｇｉｔａｌ　Ａｓｓｉｓｔａｎｔ）、パーソナルコンピュータ等が使用可能である。
【００６７】
第１の実施形態における構成を採用することにより、ジェットコースターの客車にビデオカメラ１８が取り付けられるので、ジェットコースターの運行行程中における任意の位置で、利用者を撮影することができる。よって、利用者が希望する構図の画像を入手することができる。本実施形態においては、ビデオカメラ１８で音声付きの画像を撮影しているので、利用者は、静止画だけではなく、音声付きの動画を入手することができる。
【００６８】
また、本実施形態においては、ネットワーク配信装置３６を使用することにより、インターネット回線網３８を介して画像をダウンロードすることができる。
つまり、利用者は、遊園地で画像を受け取らず、帰宅した後に利用者が撮影された画像を受け取ることができる。よって、記録媒体を持ち帰る手間が省けるので便利である。
【００６９】
さらに、利用者は画像をデジタルデータとして入手することもできるので、利用者自らが、自宅のパーソナル・コンピュータ等を用いて入手した画像を加工することができる。よって、アトラクションで撮影された画像を幅広い用途（年賀状の画像データや、自らのデジタルアルバム用のデータ等）に使用することができる。
【００７０】
次に、本発明における第２の実施形態を、図２を用いて説明する。第２の実施形態は、複数のアトラクションにおいて撮影された同一利用者の画像を取りまとめて、利用者に配布するシステムである。第２の実施形態は、利用者を個別認識する利用者認識手段４０と、複数のアトラクションの客車各々に取り付けられ、利用者識別手段と接続された画像撮影手段１２と、画像撮影手段１２で撮影された複数の画像の中から、同一利用者の画像を抽出し、同一利用者の画像を編集する画像編集手段１４と、画像編集手段１４で編集された同一利用者の画像を配布する画像配布手段１６により構成される。以下に第２の実施形態の構成を説明するが、説明を省いた構成は、第１の実施形態で説明した構成と同じである。
【００７１】
アトラクションを構成している客車には、その客車に乗車している利用者を撮影するためのビデオカメラ１８が取り付けられている。このビデオカメラ１８は利用者を均等に撮影することが出来る位置に取り付けられている。このビデオカメラ１８は複数のアトラクションの客車ごとに取り付けられている。
【００７２】
利用者認識手段４０は、客車における画像記録装置２０に接続されている。画像記録装置２０では、ビデオカメラ１８で撮影された利用者の画像に個別の識別符号を付して、利用者の画像を記録している。この利用者認識手段４０は、利用者が保持する、識別符号が記録された識別符号手段４２から識別符号を読み取り、利用者を特定する認識装置４４により構成されている。例えば、識別符号手段４２は、非接触型のＩＣカード４２により実現している。認識装置４４は、ＩＣカードリーダー４４により実現している。また、識別符号手段４２は、利用者を特定するためにバー・コード（Ｂａｒ　Ｃｏｄｅ）を使用する手段を採用してもよい。
【００７３】
画像取込装置２６は、画像送信装置２２により送信された画像を一時保管する。この画像取込装置２６は複数のアトラクションごとに設けられている。この画像取込装置２６には、識別符号が付された利用者の画像が一時保管されている。
【００７４】
オペレーター編集装置２８は、オペレーターが手動で利用者の画像を編集する装置である。オペレーターは、複数のアトラクションに乗車した同一の利用者の画像を画像取込装置２６から抽出し、画像に装飾を加え、一つの画像ファイルに取りまとめる作業を行っている。画像ファイルは画像保存装置３０に設けられる。ここで、画像ファイルとは、複数のアトラクションに乗車した同一利用者の画像が保存される領域（入れ物）のことを示す。
【００７５】
オペレーター編集装置２８により編集された画像は、識別符号が付されて画像保存装置３０の画像ファイルに保存される。画像保存装置３０には、利用者を識別するための認識装置４４が接続されている。画像保存装置３０は、画像保存装置３０に保存された利用者の画像ファイルの中から画像を取り出し、利用者がディスプレー３２で、編集された画像を確認できる機能を有する。
【００７６】
次に、本発明による第２の実施形態の作用を説明する。利用者は、例えば、遊園地に入場する際に、個別の識別符号が記録されたＩＣカードを受け取る。利用者は、アトラクション（例えば、ジェットコースター）の客車に乗車すると、客車に取り付けられたＩＣカードリーダー４４ａが、乗車した利用者が保持するＩＣカード４２を読み取り、利用者の識別符号を認識する。客車に取り付けられたビデオカメラ１８ａは、利用者を撮影する。撮影された画像は、利用者を識別する識別符号が付されて、画像記録装置２０ａに記録される。また、この撮影された画像には、撮影データが付されて記録される。この撮影データは、例えば、アトラクション名、撮影日、撮影時間等である。
【００７７】
ジェットコースターの所定の運転が終了すると、画像記録装置２０ａに記録された画像が、画像送信装置２２ａにより送信される。ジェットコースターから離れた施設に設けられた画像受信装置２４ａにより、利用者の画像を受信する。受信した利用者の画像は、識別符号と撮影データが付されて、画像取込装置２６ａに一時保管される。
【００７８】
利用者が他のアトラクション（例えば、観覧車）を利用したならば、そのアトラクションにおいても、客車に設けられたビデオカメラ１８ｂにより利用者が撮影され、ＩＣカードリーダー４４ｂが読み取った識別符号が付されて、撮影された画像が画像記録装置２０ｂに記録される。撮影された画像は、識別符号と撮影データが付されて、画像取込装置２６ｂに一時保管される。
【００７９】
同様に、利用者が他のアトラクション（例えば、メリー・ゴー・ラウンド）を利用したならば、そのアトラクションにおいても、客車に設けられたビデオカメラ１８ｃにより利用者が撮影され、ＩＣカードリーダー４４ｃが読み取った識別符号が付されて、撮影された画像が画像記録装置２０ｃに記録される。撮影された画像は、識別符号と撮影データが付されて、画像取込装置２６ｃに一時保管される。
【００８０】
オペレーターは、各画像取込装置２６に保管されている同一利用者の画像を抽出し、オペレーター編集装置２８により画像を装飾し、画像保存装置３０における利用者ごとの画像ファイルに編集後の画像を保存する。このとき、編集する画像に、撮影された画像ごとの撮影データを文字や音声で組み込む編集作業が行われる。この編集作業を行う際には、画像ごとの撮影データを利用して、文字を入力したり、利用したアトラクションの順番に画像を並べたりする編集作業が行われる。
【００８１】
利用者は、遊園地内に設けられた画像を入手する施設において、利用者が保持するＩＣカード４２を提示することで、画像を入手することができる。これは、画像保存装置３０に接続されたＩＣカードリーダー４４を用いることで、画像保存装置３０に保存された、その利用者の画像ファイルを検索し、特定することが可能となる。利用者は、利用者の画像ファイルに保存された編集後の画像を、その施設に設けられたディスプレー３２によって確認することができる。
【００８２】
利用者は、ディスプレー３２での確認が終了すると、この利用者が撮影されている画像を、希望する種類の記録媒体に出力させ、利用者自身の画像を入手することができる。
【００８３】
第２の実施形態における構成を採用することにより、利用者は、複数のアトラクションに乗車した画像を入手することができる。よって、利用者自らがビデオカメラ１８で撮影しなくて済むことから、利用者はアトラクション自体を楽しむことができ、同時にその利用者自らが楽しんでいる様子の映像を入手することができる。
【００８４】
また、本実施形態においては、複数のアトラクションに乗車した映像を、一度にまとめて入手することができる。よって、たびたび画像を入手するために手続きをする必要がないので、面倒さが軽減される。さらに、乗車したアトラクションの順番で画像が編集されるので、遊園地に遊びにきた記念の記録映像的な使用も可能である。つまり、遊園地のお土産品として、利用者が記録された記録媒体を使用することも可能である。
【００８５】
本発明は、その趣旨を逸脱しない範囲で当業者の知識に基づき種々なる改良、修正、変形を加えた態様で実施できるものである。
【００８６】
上述の２つの実施形態においては、画像送信装置２２と画像受信装置２４との間の通信手段に無線通信方式を採用している。本発明はこの構成に限定されない。画像送信装置２２と画像受信装置２４との間を有線接続で通信する通信方式を採用してもよい。
【００８７】
上述の２つの実施形態においては、画像編集手段１４はオペレーターが手動で行うオペレーター編集装置２８を使用している。本発明はこの構成に限定されない。利用者の画像を自動で抽出し、編集する自動編集装置を使用する構成を採用してもよい。この自動編集装置は、オペレーターが行う手動の作業を自動で行うことにより、迅速に編集作業が行われることになる。
【００８８】
同様に、画像編集手段１４は利用者が任意に編集することができる、利用者編集装置を使用する構成を採用してもよい。利用者編集装置は、利用者自らが画像の編集を行うことにより、以下のことが可能となる。必要のない画像を削除できること。画像に文字を任意に挿入できること。画像に手書き文字を挿入できること。画像に合わせて利用者が音声を挿入できること。画像に任意の音楽を挿入できること。画像の背景を装飾できること等である。また、この利用者編集手段は、記録媒体出力装置３４を兼ねる構成を採用してもよい。これにより、利用者自らが編集した画像をその場で利用者が記録媒体に記録させ、受け取ることが可能になる。更に、利用者編集装置から、携帯電話と情報をやり取りするための接続コネクタ（通称：スティック）を用いて、編集後の画像を携帯電話に転送する方法を採用してもよい。同様に、ＵＳＢ（Ｕｎｉｖｅｒｓａｌ　Ｓｅｒｉａｌ　Ｂｕｓ）を用いて、編集後の画像を携帯型ＰＣやＰＤＡ等に転送する方法を採用してもよい。
【００８９】
上述の２つの実施形態においては、ネットワーク配信装置３６を用いて、利用者がネットワーク配信装置３６から画像をダウンロードする構成を採用している。本発明はこの構成に限定されない。予め、利用者が指定した電子メールアドレスに、ネットワーク配信装置３６が画像を送信する構成を採用してもよい。これにより、指定した電子メールアドレスが利用者自身のものであれば、利用者はダウンロードする手間を省くことができる。また、指定した電子メールアドレスが他人のものであれば、利用者の画像を他人に配布することが可能になる。
【００９０】
上述の２つの実施形態においては、画像取込サーバー、アプリケーション・サーバー、画像保存サーバー、ネットワーク・サーバーの複数のサーバーによる構成を採用している。本発明はこの構成に限定されない。上述の複数のサーバーによる作業を１つのサーバーで実現する構成を採用してもよい。
【００９１】
上述の第２の実施形態においては、複数の画像取込装置２６に一時保存された画像をオペレーターが抽出し、オペレーター編集装置２８により複数の画像をとりまとめて編集する構成を採用している。本発明はこの構成に限定されない。オペレーターが各々の画像取込装置２６に保存された画像を編集したのち、利用者ごとの画像フォルダにとりまとめる構成を採用してもよい。
【００９２】
【発明の効果】
本発明は、アトラクションを構成する客車に画像撮影手段が取り付けられていることにより、客車に乗車中の利用者を音声付きの動画で撮影することができる。また動画で撮影された画像を静止画として使用することも可能である。よって、利用者は動画及び静止画で希望する構図の画像を入手することができる。
【００９３】
本発明は、画像編集手段を含む構成を採用することにより、画像に編集を加えることができる画像配布システムを提供することができる。よって、単なる撮影された画像だけではなく、利用者の好みに応じて編集された画像を配布することができる。
【００９４】
本発明は、ネットワーク配信装置を含む構成を採用することにより、インターネット回線網を介して画像を配布することができる画像配布システムを提供することができる。よって、利用者は画像が記録された記録媒体を持ち帰る手間が省かれる。また、編集後の画像をインターネット回線網に接続可能な携帯電話でもダウンロードすることができる。よって、アトラクションの乗車待ちの間に、前に乗ったアトラクションの画像を携帯電話でダウンロードして見ることができるので、利用者はアトラクションの待ち時間を退屈に過ごすことがない。
【００９５】
本発明は、複数のアトラクションの客車に画像撮影手段を取り付け、複数のアトラクションに乗車した利用者を特定するための利用者認識手段を含む構成を採用している。これにより、複数のアトラクションで撮影された画像を一度に利用者が受け取ることができる画像配布システムを提供することができる。よって、利用者は何度も撮影された画像を受け取る手間が省かれることや、利用者自らがビデオカメラで撮影することなく、利用者がアトラクションを楽しむことができる。
【図面の簡単な説明】
【図１】本発明における第１の実施形態の構成図である。
【図２】本発明おける第２の実施形態の構成図である。
【符号の説明】
１０：画像配布システム
１２：画像撮影手段
１４：画像編集手段
１６：画像配布手段
１８：ビデオカメラ
２０：画像記録装置
２２：画像送信装置
２４：画像受信装置
２６：画像取込装置
２８：オペレーター編集装置
３０：画像保存装置
３２：ディスプレー
３４：記録媒体出力装置
３６：ネットワーク配信装置
３８：電気通信回線（インターネット回線網）
４０：利用者認識手段
４２：識別符号手段（ＩＣカード）
４４：認識装置（ＩＣカードリーダー）
【図１】
2004134862.tif 000003
【図２】
2004134862.tif 000004